(57)【要約】【課題】  胴部に凹凸部を形成し、凹凸部をラベルで被覆したホット飲料用の容器を提供すること。【解決手段】  ホット飲料用容器として、容器にラベルを貼着したホット飲料用容器であって、容器は、口部と肩部、胴部と底部とからなり、胴部は、上下端部を除いて断面波形形状に形成した凹凸部が形成されており、肩部下端部と底部の脚壁部に、凹凸部の凹部に通じる溝が設けられ、ラベルは、肩部の下端部と底部の脚壁部に設けた溝の端部が露出されるようにして、容器の肩部下端部、底部の脚壁部、胴部の凹凸部を被覆していることを特徴とする。【選択図】  図１
2009161193.tif 000002
【特許請求の範囲】
【請求項１】
容器にラベルを貼着したホット飲料用容器であって、
容器は、口部と肩部、胴部と底部とからなり、
胴部は、上下端部を除いて断面波形形状に形成した凹凸部が形成されており、
肩部下端部と底部の脚壁部に、凹凸部の凹部に通じる溝が設けられ、
ラベルは、肩部の下端部と底部の脚壁部に設けた溝の端部が露出されるようにして、容器の肩部下端部、底部の脚壁部、胴部の凹凸部を被覆していることを特徴とするホット飲料用容器。
【請求項２】
容器にラベルを貼着したホット飲料用容器であって、
容器は、口部と肩部、胴部と底部とからなり、
肩部下端部と胴部、および底部の脚壁部を含む部分に断面波形形状に形成した凹凸部が形成されており、
ラベルは、容器の肩部下端部と底部の脚壁部に設けた凹凸部の端部が露出されるようにして、容器の肩部下端部と胴部と底部の脚壁部の凹凸部を被覆していることを特徴とするホット飲料用容器。
【請求項３】
ラベルが、シュリンクラベルにより形成されていることを特徴とする請求項１、または２記載のホット飲料用容器。
【請求項４】
ラベルが、断熱性を有する発泡フィルムよりなるシュリンクラベルにより形成されていることを特徴とする請求項１、または２記載のホット飲料用容器。
【請求項５】
容器の凹凸部の凸部分が、細かい凹凸形状に形成されていることを特徴とする請求項１、または２記載のホット飲料用容器。
【発明の詳細な説明】
【技術分野】
【０００１】
本発明は、コーヒー、紅茶、お茶等のホット飲料を収納する容器に関するものである。
【背景技術】
【０００２】
胴部主要部に、たて長に凹設した減圧吸収面（ミラー部）を形成し、該減圧吸収面の全体を覆ってラベルを被覆したびんであって、前記減圧吸収面の凹所下部に接続して、下方に延び前記ラベル外に達する凹溝を、前記各減圧吸収面に少なくとも一本形成したびんは、従来より知られている（例えば、特許文献１参照）
【特許文献１】実公平７−４１６３号公報
【発明の開示】
【発明が解決しようとする課題】
【０００３】
しかしながら、上記特許文献１記載のびんでは、減圧吸収面の全体をラベルで被覆するが、たて長に凹設した減圧吸収面が大きいので、びんを把持するとラベルが撓み、コーヒー、紅茶、お茶等の高温に温めた飲料を入れた場合、指等が直接熱いびんに触れるので、把持できなくなるという問題があった。
【０００４】
本発明は、上記問題を解決することを課題とし、胴部に凹凸部を形成し、凹凸部をラベルで被覆したホット飲料用の容器を提供することを目的とする。
【課題を解決するための手段】
【０００５】
本発明は、上記の問題を解決するため、ホット飲料用容器として、容器にラベルを貼着したホット飲料用容器であって、容器は、口部と肩部、胴部と底部とからなり、胴部は、上下端部を除いて断面波形形状に形成した凹凸部が形成されており、肩部下端部と底部の脚壁部に、凹凸部の凹部に通じる溝が設けられ、ラベルは、肩部の下端部と底部の脚壁部に設けた溝の端部が露出されるようにして、容器の肩部下端部、底部の脚壁部、胴部の凹凸部を被覆していることを特徴とする構成を採用する。
【０００６】
ホット飲料用容器の別実施例として、容器にラベルを貼着したホット飲料用容器であって、容器は、口部と肩部、胴部と底部とからなり、肩部下端部と胴部、および底部の脚壁部を含む部分に断面波形形状に形成した凹凸部が形成されており、ラベルは、容器の肩部下端部と底部の脚壁部に設けた凹凸部の端部が露出されるようにして、容器の肩部下端部と胴部と底部の脚壁部の凹凸部を被覆していることを特徴とする構成を採用する。
【０００７】
ラベルの実施例として、ラベルが、シュリンクラベルにより形成されていることを特徴とする構成、または、ラベルが、断熱性を有する発泡フィルムよりなるシュリンクラベルにより形成されていることを特徴とする構成を採用し、凹凸部の変形実施例として、容器の凹凸部の凸部分が、細かい凹凸形状に形成されていることを特徴とする構成を採用する。
【発明の効果】
【０００８】
断面波形形状に形成した凹凸部を有する胴部に、ラベルを被覆したことにより、指等がホットな容器に、直接触れる部分が極めて少なくなり、コーヒー、紅茶、お茶等の飲料を温めて用いるホットドリンク等の飲料用容器を把持するときに、液温度が直接手指に伝わらないので、容器の使用感がよくなった。
また、飲料等の加熱充填後の冷却にあたっても、冷却水の流通により、冷却効果を高めることもできる。
【発明を実施するための最良の形態】
【０００９】
次に、本発明のホット飲料用容器について、実施例をあげ、図面を参照して説明する。
【実施例１】
【００１０】
図１において、Ａは容器、Ｂはラベル、Ｃはキャップである。
【００１１】
容器Ａは、口部１と肩部２、胴部３と底部４とを具えている。
口部１にねじ１ａが螺設され、その下方にネックリング１ｂが設けられている。  
図１、２に示すように、胴部３は、その中間部５に、断面波形形状に形成した凸部６と凹部７とからなる凹凸部８が設けられている。
【００１２】
肩部２の下方部には、胴部３の凹部７に通じる複数の溝９が刻設され、底部４の脚壁部４ａから胴部３の凹部７に通じる複数の溝１０が刻設され、ラベルＢとの間に外気と通じる連通孔が形成されている。
【００１３】
ラベルＢは、肩部２の下端部と、断面波形形状に形成した凹凸部８と、底部４の上端部とを被覆している。
【００１４】
キャップＣは、容器Ａの口部１のねじ１ａに螺合するねじが螺設され、容器Ａの口部１に螺着されるようになっている。
【００１５】
次に、本実施例１の容器の使用態様と作用効果について、説明する。
本発明の容器Ａには、コーヒー、紅茶、お茶等の温かい飲料が充填され、自動販売機等で保温された状態で販売される。
ホット飲料の入った容器を、自動販売機等から取り出し、容器Ａを手指で把持した場合に、胴部の凸部６を持つことになり、放熱により温度が下がって把持しやすくなる。
また、凹部７には、溝９、１０を通じて空気が上下に流通しているので、凹凸部８は、さらに低い温度に保たれ、温かい飲料が入っていても、容器Ａが容易に把持できる。
【００１６】
また、内容物を加熱充填した場合には、高温の飲料が充填された後に、冷却シャワーで一定温度まで冷却されるが、その際には、冷却水がラベルＢと胴部３の凹部７との間を、溝９、１０を通じて上方から下方に流れるので、冷却効果を高めることができる。
【実施例２】
【００１７】
次に、容器の凹凸部と、ラベルとの間の通気性をさらによくした第２実施例について、相違点を中心に説明する。
【００１８】
図３において、Ａａは容器、Ｂはラベル、Ｃはキャップである。
【００１９】
容器Ａａは、口部１１と肩部１２、胴部１３と底部１４とからなっている。
胴部１３には、肩部１２の下端部と底部１４の脚壁部１５を含む部分に断面波形形状に形成した凸部１６と凹部１７とからなる凹凸部１８が設けられている。
【００２０】
ラベルＢは、肩部１２の下端部と、胴部１３の全長、底部１４の底端近辺までを被覆して貼着しており、凹凸部１８の上下端は、外気と連通している。
【００２１】
次に、第２実施例の使用態様と作用効果について、説明する。
ホット飲料の入った容器を手指で把持するとき、凹凸部１８の上下が外気と連通しているので、第１実施例に比較して、より大きく放熱され、凹凸部１８が冷却されるので、凸部１６を把持しやすくなっている。
また、加熱充填した場合にも、凹凸部１８に冷却水が流れるので、冷却効果は、さらに向上させることができる。
【００２２】
さらにまた、ラベルＢより底部１４底端の断面波形形状を脚壁部１５まで設けることにより、脚壁部１５の凹凸部１８が作用し、容器Ａａが生産ライン上の搬送時、店頭に展示した時に、脚壁部１５の凸部１６が支持面に接触し、滑りを阻止するので、転倒等が防止可能になった。
【００２３】
前記各実施例では、ラベルＢを熱収縮性のシュリンクラベルとすることによって、容器Ａ、Ａａに簡単に被覆できるようになった。
また、前記各実施例で、ラベルＢとして、断熱性を有する発泡フィルムよりなるシュリンクラベルを用いることができ、断熱効果を得ることができる。
【００２４】
さらにまた、前記各実施例において、容器の凹凸部の凸部６、１６の平面に、細かい凹凸形状を付け、粗面としてもよく、より高い断熱効果を得ることができる。
【産業上の利用可能性】
【００２５】
本発明は、容器の胴部に、断面波形形状に形成した凹凸部を設けてラベルを被覆したことによって、指等が容器に直接触れる部分が極めて少なくなり、コーヒー、紅茶、お茶等のホット飲料、その他のホットドリンク等の容器として、広く利用できるようになった。
【図面の簡単な説明】
【００２６】
【図１】本発明のホット飲料用容器の半断面立面図である。
【図２】（ａ）は肩部の図１のａ部の拡大図、（ｂ）は図１のＡ−Ａ線における容器の切断面図である。
【図３】本発明の別実施例の容器の半断面立面図である。
【符号の説明】
【００２７】
Ａ、Ａａ  容器
Ｂ        ラベル
Ｃ        キャップ
１、１１  口部
１ａ      ねじ
１ｂ      ネックリング
２、１２  肩部
３、１３  胴部
４、１４  底部
４ａ、１５  脚壁部
５        中間部
６、１６  凸部
７、１７  凹部
８、１８  凹凸部
９、１０  溝
【図１】
2009161193.tif 000003
【図２】
2009161193.tif 000004
【図３】
2009161193.tif 000005